(57)【特許請求の範囲】
【請求項１】
光コネクタ（１６）に形成された光ファイバ挿入孔への光ファイバ（１８）の挿入に用いられる工具であって、
基台（１５）と、該基台上に前記光コネクタを固定するコネクタ固定部（１７）と、該コネクタ固定部に固定された状態の前記光コネクタの前記光ファイバ挿入孔始端部（１６ａ）に向かって前記基台上に支持された前記光ファイバの先端部分を移動させるファイバ支持部（１９）と、前記固定状態の前記光コネクタの前記光ファイバ挿入孔終端（１６ｂ）が開口された接合端面（１６ｃ）に向かって移動して当接し、前記光ファイバ挿入孔終端部に導かれた前記光ファイバの先端面を位置決めする位置決め部材（２０）と、前記光ファイバ挿入孔始端部近傍の前記光ファイバを、該光ファイバの側方より押圧するファイバ曲がり修正手段（３２）とが備えられ、
前記位置決め部材には、該位置決め部材を前記接合端面に向けて付勢する第１の付勢手段（２２）が設けられ、
前記ファイバ支持部には、前記第１の付勢手段の付勢開始に連動して、前記ファイバ支持部を付勢してこれをコネクタ固定部に向けてスライド移動させることにより、前記光ファイバ挿入孔内に挿入されている前記光ファイバの先端面を前記位置決め部材に向けて付勢し、前記光ファイバの先端面を前記位置決め部材に突き当てる第２の付勢手段（２７）が設けられていることを特徴とする光コネクタ組立工具。
【請求項２】
請求項１記載の光コネクタ組立工具において、
前記第２の付勢手段は、前記位置決め部材が前記接合端面に接合した状態から更に前記第１の付勢手段を前記光コネクタに向けて押圧した際の押圧力を受ける受圧部（３０）と、該受圧部で受けた前記押圧力を用いて前記ファイバ支持部を前記コネクタ固定部に向けて付勢する駆動部（３１）とを備えていることを特徴とする光コネクタ組立工具。
【発明の詳細な説明】
【０００１】
【発明の属する技術分野】
本発明は、光コネクタに形成された光ファイバ挿入孔に光ファイバを挿入する光コネクタ組立工具に関するものである。
【０００２】
【従来の技術】
例えば、ＪＩＳ  Ｃ  ５９８１等に制定される光コネクタ（光コネクタフェルール）によって光ファイバを突き合わせ接続可能に成端する作業では、前記光コネクタに形成された光ファイバ挿入孔に光ファイバ（裸ファイバ）を挿入する工程がある。
この挿入工程では、光ファイバ挿入孔径が数十マイクロメートルである上、この光ファイバ挿入孔と光ファイバとの径の差が数マイクロメートル程度と小さいことから、顕微鏡で確認しながら挿入作業を行わねばならなかった。したがい、この作業方法では手間が掛かって作業性を向上させることが困難であることから、作業能率を向上できる適切な工具の開発が求められていた。特に、多芯の光コネクタでは、複数形成された光ファイバ挿入孔間の間隔が２００〜３００マイクロメートル程度であることが普通であり、挿入すべき光ファイバ挿入孔を選択する作業にも手間が掛かることとなっていた。
【０００３】
そこで、この種の問題を解決する工具として、例えば図７に示すような光コネクタ組立工具が開発されている。
同図に示すように、この光コネクタ組立工具は、ほぼ水平に設置されるプレート状の基台１と、該基台１上に光コネクタ２を支持固定するコネクタ固定部３と、基台１上に光ファイバ４を支持した状態でこれをコネクタ固定部３に向けて進退させるファイバ支持部５とを備えている。
ファイバ支持部５は、ファイバホルダ６に挟持された光ファイバ４を基台１上でＸ−Ｙ方向にスライド移動可能に支持するファイバ移動台座７と、該ファイバ移動台座７をＸ方向に向かって付勢するスプリング８と、ファイバホルダ６の過度の移動を規制するストッパ９とを備えている。
【０００４】
コネクタ固定部３は、光コネクタ２の先端面２ａ（光ファイバ挿入孔内に挿入された光ファイバ４の先端部分が外部に露出する開口が形成されている面）に接続されて光ファイバ２の位置決めを行う位置決めブロック１０と、該位置決めブロック１０を操作レバー１１ａの操作により光コネクタ２に向けて接近離間させ、さらには前記先端面２ａに接続された状態の位置決めブロック１０を先端面２ａに向けてスプリング１２で付勢する付勢機構１１と、該付勢機構１１との間に、位置決めブロック１０と共に光コネクタ２を挟持するストッパ１３とを備えている。
【０００５】
次に、この光コネクタ組立工具を用いた光ファイバ４への光コネクタ２の組立作業についての説明を続ける。
まず、付勢機構１１の操作レバー１１ａを操作して位置決めブロック１０とストッパ１３との間の間隔を広げて、この間隔に光コネクタ２を置く。このときの光コネクタ２は、その先端面２ａが位置決めブロック１０を向き、かつその後端面をストッパ１３に当接させるように配置する。そして、カッティングと被覆除去とファイバホルダ６への挟持といった前処理が予め施された光ファイバ４を、ファイバ移動台座７上に固定する。そして、光コネクタ２の後端側から先端側に向かって光ファイバ４を前記光ファイバ挿入孔内に挿入する。このときの光ファイバ４の先端面は、光コネクタ２の先端面２ａより約０．５ｍｍ程度外部に突出した状態にしておく。
【０００６】
次に、操作レバー１１ａを操作することによって位置決めブロック１０を光コネクタ２の先端面２ａに押し付けるようにして接続する。すると、前工程で光コネクタ２の先端面２ａより外部に突出されていた光ファイバ４の先端部分は、位置決めブロック１０を介したスプリング１２の付勢力によって前記光ファイバ挿入孔内に押し戻され、光ファイバ４の先端面が光コネクタ２の先端面２ａに対して面一に位置決めされる。このときの光ファイバ４は、これを挟持するファイバ６と共に後退（図７のＸ方向に移動）してスプリング８を伸ばす方向に力を作用させる。したがい、ファイバ支持部５のスプリング８の付勢力とコネクタ固定部３のスプリング１２の付勢力とにより、位置決めブロック１０に対する光ファイバ４の突き当て力が発生することとなる。この突き当て力が生じている状態で光コネクタ２と光ファイバ４との間を接着固定する。
この後、操作レバー１１ａを再び操作して位置決めブロック１０を光コネクタ２から離脱させてから光コネクタ組立工具より外すことにより、光ファイバ４への光コネクタ２の組立作業が完了する。
【０００７】
【発明が解決しようとする課題】
上記説明の従来の光コネクタ組立工具は、以下に説明する問題を有していた。すなわち、上記組立作業において、光コネクタ２の先端面２ａから外部に突出した状態の光ファイバ４の先端部分は、その先端面が光コネクタ２の先端面２ａと面一とすべく、位置決めブロック１０によって前記光ファイバ挿入孔内へ押し戻されるが、この押し戻しのときの光ファイバ４の先端部分には、スプリング１２による付勢力とスプリング８による付勢力とからなる圧縮力が加わることとなる。この圧縮力を受けた前記先端部分は、これを外部から支えるものがない突出状態で圧縮されるので、この圧縮力によって前記先端部分が変形し、光ファイバ４の光伝送特性に悪影響を及ぼす恐れがあるという問題である。
【０００８】
本発明は、上記事情を鑑みてなされたものであって、光コネクタの先端面に対する光ファイバの位置決めをする際に、光ファイバの先端部分に過度な圧縮力が加わることによる光ファイバの伝送特性への悪影響の発生を防止することができる光コネクタ組立工具の提供を目的とする。
【０００９】
【課題を解決するための手段】
本発明の光コネクタ組立工具は、前記課題を解決するために以下の手段を採用した。
すなわち、請求項１記載の光コネクタ組立工具は、光コネクタに形成された光ファイバ挿入孔への光ファイバの挿入に用いられる工具であって、基台と、該基台上に前記光コネクタを固定するコネクタ固定部と、該コネクタ固定部に固定された状態の前記光コネクタの前記光ファイバ挿入孔始端部に向かって前記基台上に支持された前記光ファイバの先端部分を移動させるファイバ支持部と、前記固定状態の前記光コネクタの前記光ファイバ挿入孔終端が開口された接合端面に向かって移動して当接し、前記光ファイバ挿入孔終端部に導かれた前記光ファイバの先端面を位置決めする位置決め部材と、前記光ファイバ挿入孔始端部近傍の前記光ファイバを、該光ファイバの側方より押圧するファイバ曲がり修正手段とが備えられ、前記位置決め部材には、該位置決め部材を前記接合端面に向けて付勢する第１の付勢手段が設けられ、前記ファイバ支持部には、前記第１の付勢手段の付勢開始に連動して、前記ファイバ支持部を付勢してこれをコネクタ固定部に向けてスライド移動させることにより、前記光ファイバ挿入孔内に挿入されている前記光ファイバの先端面を前記位置決め部材に向けて付勢し、前記光ファイバの先端面を前記位置決め部材に突き当てる第２の付勢手段が設けられていることを特徴とする。
【００１０】
前記請求項１記載の光コネクタ組立工具によれば、位置決め部材に対する光ファイバ先端部分の突き当て力は、光コネクタに対して位置決めブロックが接続された後の状態から、第２の付勢手段の付勢力によって生じるようになっている。
また、光コネクタの光ファイバ挿入孔内に挿入する光ファイバに曲がりが生じていて挿入しにくい場合には、ファイバ曲がり修正手段を操作して側方より押圧力を加えることによって、光ファイバ挿入孔始端部に対する光ファイバの先端部分の位置を挿入し易い位置に調節することができる。
【００１１】
請求項２記載の光コネクタ組立工具は、請求項１記載の光コネクタ組立工具において、前記第２の付勢手段が、前記位置決め部材が前記接合端面に接合した状態から更に前記第１の付勢手段を前記光コネクタに向けて押圧した際の押圧力を受ける受圧部と、該受圧部で受けた前記押圧力を用いて前記ファイバ支持部を前記コネクタ固定部に向けて付勢する駆動部とを備えていることを特徴とする。
【００１２】
前記請求項２記載の光コネクタ組立工具によれば、位置決め部材と光コネクタとを接合させた状態で、第１の付勢手段を光コネクタに向けて更に押圧すると、この押圧力が受圧部で受け止められ、該受圧部より駆動部へと伝達される。駆動部は、受圧部より受け取った押圧力を用いて、ファイバ支持部をコネクタ固定部に向けて付勢する。したがって、第１の付勢手段を光コネクタに向かって移動させる工程のみで、位置決め部材を光コネクタに向かって密着させるために付勢する工程と、光ファイバ挿入孔内に挿入されている光ファイバの先端面を位置決めブロックに突き当てて位置決めする工程とが同時になされるようになる。
【００１５】
【発明の実施の形態】
本発明の光コネクタ組立工具は、光コネクタに形成された光ファイバ挿入孔への光ファイバの挿入に用いられる工具であり、その一実施形態を図１〜図６を参照しながら以下に説明するが、本発明がこれに限定解釈されるものでないことはもちろんである。
なお、図１は、本発明の光コネクタ組立工具の一実施形態を示す側断面図であり、図２は、同光コネクタ組立工具の平面図であり、図３は、同光コネクタ組立工具の要部を示す側面図であり、図４は、同光コネクタ組立工具を用いた光ファイバへの光コネクタの組立作業の始めの工程を示す説明図であり、図５は、同光コネクタ組立工具を用いた同組立作業の次の工程を示す説明図であり、図６は、同光コネクタ組立工具を用いた同組立作業の次の工程を示す説明図である。
【００１６】
図１及び図２に示すように、本実施の形態の光コネクタ組立工具は、基台１５と、該基台１５上に光コネクタ１６を固定するコネクタ固定部１７と、該コネクタ固定部１７に固定された状態の光コネクタ１６の光ファイバ挿入孔始端部１６ａに向かって基台１５上に支持された光ファイバ１８の先端部分を移動させるファイバ支持部１９と、コネクタ固定部１７に固定された状態の光コネクタ１６の、光ファイバ挿入孔終端１６ｂが開口された接合端面１６ｃに向かって移動して当接し、光ファイバ挿入孔終端部１６ｂに導かれた光ファイバ１８の先端面を位置決めする位置決めブロック２０（位置決め部材）と、該位置決めブロック２０を保持してこれを光コネクタ１６に向かって接近離間可能となるように基台１５上にスライド移動自在に取り付けられている位置決めブロック支持部２１とを備えている。
【００１７】
コネクタ固定部１７は、ファイバ支持部１９上にファイバホルダ１８ａで挟持されたまま支持固定される光ファイバ１８と、位置決めブロック支持部２１に支持されている位置決めブロック２０との間に光コネクタ１６を配置固定するものである。これにより、光ファイバ１８及び光コネクタ１６及び位置決めブロック２０は、一直線上に配置されるようになっている。
位置決めブロック２０は、図２に示すように、光コネクタ１６の接合端面１６ｃに密着可能な接合面２０ａと、該接合面２０ａより光コネクタ１６に向かって突出形成された一対の嵌合ピン２０ｂとを備えている。この一対の嵌合ピン２０ｂは、位置決めブロック２０を光コネクタ１６に接合する際に、光コネクタ１６の接合端面１６ｃに形成された一対の嵌合穴（図示せず）に嵌合されることで、両者間での相対位置がずれることなく接合可能となっている。
【００１８】
位置決めブロック支持部２１には、図１及び図２に示すように、位置決めブロック２０が光コネクタ１６の接合端面１６ｃに接合すると共に、光ファイバ１８の先端部分が前記光ファイバ挿入孔内に収納された状態で、位置決めブロック２０を接合端面１６ｃに向けて付勢する第１の付勢手段２２が設けられている。この第１の付勢手段２２は、位置決めブロック２０の接合面２０ａとは反対側の面に当接する付勢部２２ａと、該付勢部２２ａを位置決めブロック２０に向けて付勢する一対のスプリング２２ｂとを備えている。
したがい、第１の付勢手段２２によって位置決めブロック２０は、光コネクタ１６に向かう方向に常に付勢された状態に維持されているが、この位置決めブロック２０の過度の移動を規制するためのストッパ２３が、位置決めブロック支持部２１に固定されている。
【００１９】
また、位置決めブロック支持部２１は、これをスライド移動させて位置決めブロック２０と光コネクタ１６とを完全に接合させてからさらに押圧すると、第１の付勢手段２２によって位置決めブロック２０を介して光コネクタ１６を押し退ける方向に作用するが、コネクタ固定部１７と位置決めブロック２１との間は前記接合状態を維持可能にロック可能となっている。したがい、このロック状態では、位置決めブロック２０と光コネクタ１６との間は、第１の付勢手段２２の付勢力によって圧縮され、位置決めブロック２０の接合面２０ａと光コネクタ１６の接合端面１６ｃとが隙間無く合致するようになっている。
また、図１及び図２に示すように、位置決めブロック支持部２１には、後述される第２の付勢手段２７に押圧力を加える押圧ピン２８がファイバ支持部１９に向かって突出形成されている。
【００２０】
図１に示すように、位置決めブロック支持部２１及びコネクタ固定部１７は、操作レバー２４を紙面左右方向にスライド操作させることで、軸２５を中心として傾動可能となっている（二点差線に示す動作参照）。これにより、光ファイバ１８に対して光コネクタ１６を傾動させ、光ファイバ１８の挿入が容易に行えるようになっている。なお、操作レバー２４は、リンク機構２６によってそのスライド動作を位置決めブロック支持部２１及びコネクタ固定部１７の傾動動作に変換可能に連結されている。
【００２１】
光コネクタ１６に対して位置決めブロック２０を接合させた後、更に位置決めブロック支持部２１を光コネクタ１６に向かって押圧する押圧力を加えることで、第１の付勢手段２２は、位置決めブロック２０を光コネクタ１６に向かって付勢することを開始するが、図１に示すように、ファイバ支持部１９には、この付勢開始に連動して前記光ファイバ挿入孔内に挿入されている光ファイバ１８の先端面を位置決めブロック２０に向けて付勢する前記第２の付勢手段２７が設けられている。この第２の付勢手段２７は、位置決めブロック２０が光コネクタ１６の接合端面１６ｃに接合した状態で第１の付勢手段２２を更に光コネクタ１６に向けて押圧した際の押圧力を受ける受圧部３０と、該受圧部３０で受けた前記押圧力を用いてファイバ支持部１９をコネクタ固定部１７に向けて付勢する駆動部３１とを備えている。
【００２２】
受圧部３０は、図１の視線で概略Ｌ字形状を有する部品であり、前記位置決めブロック支持部２１の押圧ピン２８が当接可能であり、該押圧ピン２８の押圧力に応じて紙面右方向にスライド移動可能となっている。
駆動部３１は、受圧部３０の端部が当接して押圧することによって支持軸３１ａ回りに回動可能なカム３１ｂと、該カム３１ｂが回動して当接することによって紙面左方向にスライド移動可能な駆動軸３１ｃと、該駆動軸３１ｃのスライド移動に伴って紙面左方向の付勢力をファイバ支持部１９に対して加えるスプリング３１ｄとを備えている。
【００２３】
なお、受圧部３０及び駆動軸３１ｃ及びスプリング３１ｄは、ファイバ支持部１９内にそれぞれ固定されており、該ファイバ支持部１９と一緒に基台１５に対してスライド移動可能となっている。ただし、支持軸３１ａ及びカム３１ｂは、基台１５に対してスライド移動不可に固定されている。したがい、受圧部３０が押圧ピン２８からの押圧力を受けて移動すると、この受圧部３０の端部がカム３１ｂを支持軸３１ａ回りに回動させて駆動軸３１ｃを位置決めブロック支持部２１に向かう方向へとスライド移動させる。すると、この駆動軸３１ｃのスライド移動に伴ってスプリング３１ｄが圧縮され、該スプリング３１ｄがファイバ支持部１９をコネクタ固定部１７に向けてスライド移動させるようになっている。
【００２４】
図２及び図３に示すように、コネクタ固定部１７とファイバ支持部１９との間の基台１５上には、光コネクタ１６の光ファイバ挿入孔始端部１６ａ近傍の光ファイバ１８を、該光ファイバ１８の下方（側方）より押圧するファイバ曲がり修正レバー３２（ファイバ曲がり修正手段）が備えられている。このファイバ曲がり修正レバー３２は、基台１５上に回動軸３２ａ回りに回動自在に支持されており、これを回動操作することで、光コネクタ１６の光ファイバ挿入孔始端部１６ａに対する光ファイバ１８先端部分の相対位置を調整して、容易に前記光ファイバ挿入穴内に挿入できるようになっている。
【００２５】
以上説明の光コネクタ組立工具を用いた、光ファイバ１８への光コネクタ１６の組立作業について、図４〜図６を参照しながら以下に説明を続ける。なお、図４〜図６における光コネクタ組立工具は、その動作を明瞭に説明するために必要な構成要素のみを図示している。
まず、光コネクタ１６をコネクタ固定部１７に固定する。そして、光ファイバ１８に対する前処理（前記ファイバホルダ１８ａへのセット、被服除去、カッティング等）を施した後、このファイバホルダ１８ａをファイバ支持部１９上にセットする（この時点の光ファイバ１８の先端部分はまだ光コネクタ１６の光ファイバ挿入孔内に挿入されていない。）。
【００２６】
そして、前記操作レバー２４を操作して位置決めブロック支持部２１及びコネクタ固定部１７を軸２５回りに傾動させ、光コネクタ１６を傾動させた状態で前記光ファイバ挿入孔始端部より光ファイバ１８を挿入する。このとき、光ファイバ１６に曲がりが生じていて挿入しにくい場合には、前記ファイバ曲がり修正レバー３２を操作して、光ファイバ挿入孔始端部１６ａに対する光ファイバ１８先端部分の相対位置を調整しながら挿入する。挿入後は、操作レバー２４を操作して位置決めブロック支持部２１及びコネクタ固定部１７を軸２５回りに回動させ、元の水平状態に戻す。
以上の作業を終えた状態が図４に示す状態である。同図の上部に示すように、この時点での光ファイバ１８の先端部分は、光コネクタ１６の接続端面１６ｃから突出した状態にはなっておらず、何らの外力も加えられていない。
【００２７】
次に、位置決めブロック支持部２１をコネクタ固定部１７に向けてスライド移動させ、その位置決めブロック２０を光コネクタ１６に接合させる。これにより、図５上部に示すように、光コネクタ１６の接合端面１６ｃに形成された開口部分である光ファイバ挿入孔終端部１６ｂが位置決めブロック２０の接合面２０ａで塞がれた状態となる。このとき、位置決めブロック２０の各嵌合ピン２０ｂは、光コネクタ１６の接合端面１６ｃに形成された前記嵌合穴に嵌合されており（図示せず）、両者間での相対位置がずれることなく接合された状態が維持されるようになっている。
以上の作業を終えた状態が図５に示す状態である。同図の上部に示すように、この時点でもまだ光ファイバ１８の先端部分には、何らの外力も加えられていない。また、位置決めブロック支持部２１の前記押圧ピン２８は前記受圧部３０に当接するかしないかの状態であり、第２の付勢手段２７は作動していない。
【００２８】
次に、位置決めブロック支持部２１をコネクタ固定部１７に向けて更にスライド移動させていき、完全に奥まで押し込むことで基台１５上に完全にロックされる。このロック状態で、位置決めブロック２０と光コネクタ１６との間は、第１の付勢手段２２の付勢力によって圧縮され、位置決めブロック２０の接合面２０ａと光コネクタ１６の接合端面１６ｃとがさらに隙間無く合致する。
また、この位置決めブロック支持部２１の押し込み動作開始と同時に、その押圧ピン２８の先端部分が受圧部３０を押圧する。受圧部３０が押圧ピン２８からの押圧力を受けて移動すると、この受圧部３０の端部がカム３１ｂを支持軸３１ａ回りに回動させて駆動軸３１ｃを位置決めブロック支持部２１に向かう方向へとスライド移動させる。すると、この駆動軸３１ｃのスライド移動に伴ってスプリング３１ｄが圧縮され、該スプリング３１ｄがファイバ支持部１９をコネクタ固定部１７に向けてスライド移動させる。
【００２９】
このファイバ支持部１９のスライド移動より、図６上部に示すように、前記光ファイバ挿入孔内の光ファイバ１８の先端面が位置決めブロック２０の接合面２０ａに突き当たり、光コネクタ１６の接続端面１６ｃと面一に位置決めされる。このときの光ファイバ１８の先端部分は、接合面２０ａに突き当たることで、第２の付勢手段２７の付勢力を受けるが、前記光ファイバ挿入孔によってその外周から支持された状態で突き当て力を受けるようになっているので、従来の光ファイバ組立工具を用いた場合のように、その光伝送特性に悪影響を及ぼすような変形を生じさせる恐れがない。
以上の作業が完了した状態が図６であり、この状態で光ファイバ１８を光コネクタ１６に接着固定する。しばらくして接着剤が固化した後、基台１５に対する光ファイバ支持部２１の前記ロック状態を解除して後退させ、図４に示す初期の状態に戻す。そして、光コネクタ組立工具より光ファイバ１８と共に光コネクタ１６を取り外すことで、組み立て作業が完了する。
【００３０】
本実施形態の光コネクタ組立工具では、基台１５と、コネクタ固定部１７と、ファイバ支持部１９と、位置決めブロック２０とを備え、位置決めブロック２０には、該位置決めブロック２０が光コネクタ１６の接合端面１６ｃに接合した状態で、位置決めブロック２０を接合端面１６ｃに向けて付勢する第１の付勢手段２２が設けられ、ファイバ支持部１９には、第１の付勢手段２２の付勢開始に連動して前記光ファイバ挿入孔内に挿入されている光ファイバ１８の先端面を位置決めブロック２０に向けて付勢する第２の付勢手段２７が設けられている構成を採用した。この光コネクタ組立工具を用いた光ファイバ１８の先端面の位置決めを行う際の、位置決めブロック２０に対する光ファイバ１８先端部分の突き当て力は、光コネクタ１６に対して位置決めブロック２０が接続された後の状態、すなわち、光ファイバ１８先端部分が光ファイバ挿入孔終端部１６ｂから突出していない状態で、第２の付勢手段２７の付勢力によって生じるようになっているので、光ファイバ１８の先端部分に過度な圧縮力が加わることによる光ファイバの伝送特性への悪影響を及ぼしにくくすることが可能となっている。
【００３１】
また、第２の付勢手段２７が、位置決めブロック２０と光コネクタ１６とを接合させた状態で、第１の付勢手段２２を更に光コネクタ１６に向けて押圧する際の押圧力を受ける受圧部３０と、該受圧部３０で受けた前記押圧力を用いてファイバ支持部１９をコネクタ固定部１７に向けて付勢する駆動部３１とを備えている構成を採用した。これにより、第１の付勢手段２２を光コネクタ１６に向かって移動させる工程のみで、位置決めブロック２０を光コネクタ１６に向かって密着させるために付勢する工程と、前記光ファイバ挿入孔内に挿入されている光ファイバ１８の先端面を位置決めブロック２０に突き当てて位置決めする工程とが同時になされるので、組立作業を容易かつ短時間に行うことが可能となった。
【００３２】
また、前記光ファイバ挿入孔始端部１６ａ近傍の光ファイバ１８を、該光ファイバ１８の下方より押圧するファイバ曲がり修正レバー３２を備える構成を採用した。これにより、光コネクタ１６の前記光ファイバ挿入孔内に挿入する光ファイバ１８に曲がりが生じていて挿入しにくい場合には、ファイバ曲がり修正レバー３２を操作することによって、光ファイバ挿入孔始端部１６ａに対する光ファイバ１８の先端部分の位置を挿入し易い位置に調節できるので、より組立作業を容易かつ短時間に行うことが可能となる。
【００３３】
なお、本発明の光コネクタ組立工具が適用される光コネクタ１６としては、そのタイプに限定はなく、各種の光コネクタの組立に適用して良い。
【００３４】
【発明の効果】
本発明の請求項１記載の光コネクタ組立工具は、基台と、コネクタ固定部と、ファイバ支持部と、位置決め部材と、前記光ファイバ挿入孔始端部近傍の前記光ファイバを該光ファイバの側方より押圧するファイバ曲がり修正手段とを備え、位置決め部材には、該位置決め部材が光コネクタの接合端面に接合した状態で、位置決め部材を接合端面に向けて付勢する第１の付勢手段が設けられ、ファイバ支持部には、第１の付勢手段の付勢開始に連動して、前記ファイバ支持部を付勢してこれをコネクタ固定部に向けてスライド移動させることにより、光ファイバ挿入孔内に挿入されている光ファイバの先端面を位置決め部材に向けて付勢し、前記光ファイバの先端面を前記位置決め部材に突き当てる第２の付勢手段が設けられている構成を採用した。この光コネクタ組立工具を用いた光ファイバ先端面の位置決めを行う際の、位置決め部材に対する光ファイバ先端部分の突き当て力は、光コネクタに対して位置決め部材が接続された後の状態、すなわち、光ファイバ先端部分が光ファイバ挿入孔終端部から突出していない状態で、第２の付勢手段の付勢力によって生じるようになっているので、光ファイバの先端部分に過度な圧縮力が加わることによる光ファイバの伝送特性への悪影響を及ぼしにくくすることが可能となる。
また、光ファイバ挿入孔始端部近傍の光ファイバを、該光ファイバの側方より押圧するファイバ曲がり修正手段を備える構成を採用した。これにより、光コネクタの光ファイバ挿入孔内に挿入する光ファイバに曲がりが生じていて挿入しにくい場合には、ファイバ曲がり修正手段を操作して側方より押圧することによって、光ファイバ挿入孔始端部に対する光ファイバの先端部分の位置を挿入し易い位置に調節できるので、より組立作業を容易かつ短時間に行うことが可能となる。
【００３５】
また、請求項２記載の光コネクタ組立工具では、第２の付勢手段が、位置決め部材と光コネクタとを接合させた状態で、第１の付勢手段を更に光コネクタに向けて押圧する際の押圧力を受ける受圧部と、該受圧部で受けた前記押圧力を用いてファイバ支持部をコネクタ固定部に向けて移動させる駆動部とを備えている構成を採用した。これにより、第１の付勢手段を光コネクタに向かって移動させる工程のみで、位置決め部材を光コネクタに向かって密着させるために付勢する工程と、光ファイバ挿入孔内に挿入されている光ファイバの先端面を位置決め部材に突き当てて位置決めする工程とが同時になされるので、組立作業を容易かつ短時間に行うことが可能となる。
【図面の簡単な説明】
【図１】本発明の光コネクタ組立工具の一実施形態を示す側断面図である。
【図２】同光コネクタ組立工具の平面図である。
【図３】同光コネクタ組立工具の要部を示す側面図である。
【図４】同光コネクタ組立工具を用いた光ファイバへの光コネクタの組立作業の始めの工程を示す説明図である。
【図５】同光コネクタ組立工具を用いた同組立作業の次の工程を示す説明図である。
【図６】同光コネクタ組立工具を用いた同組立作業の次の工程を示す説明図である。
【図７】従来の光コネクタ組立工具の一例を示す側断面図である。
【符号の説明】
１５・・・基台、１６・・・光コネクタ、１６ａ・・・光ファイバ挿入孔始端部、１６ｂ・・・光ファイバ挿入孔終端、１６ｃ・・・接合端面、１７・・・コネクタ固定部、１８・・・光ファイバ、１９・・・ファイバ支持部、２０・・・位置決めブロック（位置決め部材）、２２・・・第１の付勢手段、２７・・・第２の付勢手段、３０・・・受圧部、３１・・・駆動部、３２・・・ファイバ曲がり修正レバー（ファイバ曲がり修正手段）
【図１】
0003553506.tif 000002
【図２】
0003553506.tif 000003
【図３】
0003553506.tif 000004
【図４】
0003553506.tif 000005
【図５】
0003553506.tif 000006
【図６】
0003553506.tif 000007
【図７】
0003553506.tif 000008